(57)【特許請求の範囲】
【請求項１】
ワイパモータの駆動回路部と出力軸とを隣接させて配設し、前記出力軸は、減速機構、リンク機構および出力軸を備えたギア部を内装するギアフレームに一体形成されるスリーブに回動自在に軸支されているワイパモータ装置において、前記駆動回路部を収納するケースは上側が開口したものであり、該上側開口を覆蓋するカバーを設けるにあたり、該カバーの上面部には、前記スリーブの外周を囲う部位まで至るよう延出形成された延設部と、該延設部から上方に向けて立設する状態でスリーブに外嵌するよう一体形成された円筒部と、上面部上を流れる水がケースとカバーとを固定するための固定部に至るのを回避すべく誘導するため立設されたガイドリブとが設けられ、前記出力軸のスリーブから突出する突出下端部には防水キャップの上端部が軽圧入状に取付けられ、該防水キャップの下部は円筒部の上部に外嵌して防滴状態としたことを特徴とするワイパモータ装置の防滴構造。
【発明の詳細な説明】
【０００１】
【発明の属する技術分野】
本発明は、乗用車、トラック等の車両に設けられるワイパモータ装置の技術分野に属するものである。
【０００２】
【従来の技術】
一般に、この種ワイパモータ装置のなかには、躯体板材（ガラス板やボディ外板等）の内部に、間欠払拭等の種々の払拭作動を行うための回路が組込まれた駆動回路部（回路基板等）を配する一方、該駆動回路部に隣接する部位に、モータ駆動を減速機構およびリンク機構を介して出力する出力軸（ワイパピボット軸）を配し、該出力軸の先端部を、躯体板材に開設した取付け孔に貫通して躯体外部に突出させ、その突出先端部にワイパアームを連結するように構成したものがある。またこのものにおいて、前記駆動回路部は、異物等の付着を防止すべくカバーで覆蓋されたケースに収納されているが、この場合、カバーのケースへの固定は、カバーに開設された係止孔に、ケースに突設された係止爪を係止せしめることでなされるように構成されている。
この様なワイパモータ装置において、出力軸の取付け孔貫通部から躯体内部に水が浸入してしまうことを防止する必要があり、そこで従来、出力軸の取付け孔貫通部にグロメット等の防水部材を取付け、該防水部材により水の浸入を防止していた。
【０００３】
【発明が解決しようとする課題】
ところで、例えば大雨時や高圧洗車をしたような場合、前述したグロメットのような防水部材を取り付けていても、出力軸の取付け孔貫通部の僅かな隙間から躯体内部に水が浸入してしまうことがある。そして、例えば駆動回路部が出力軸の下方に配されているような場合、前記躯体内部に浸入した水が駆動回路部側に流れて、カバーとケースのあいだから、あるいは前記係止孔からケース内に浸入してしまう惧れがある。しかるに、この様にしてケース内に浸入した水分が駆動回路部に付着すると、該駆動回路部の故障の原因となることがあって問題となっており、ここに本発明が解決しようとする課題があった。
【０００４】
【課題を解決するための手段】
本発明は、上記の如き実情に鑑みこれらの課題を解決することを目的として創作されたものであって、ワイパモータの駆動回路部と出力軸とを隣接させて配設し、前記出力軸は、減速機構、リンク機構および出力軸を備えたギア部を内装するギアフレームに一体形成されるスリーブに回動自在に軸支されているワイパモータ装置において、前記駆動回路部を収納するケースは上側が開口したものであり、該上側開口を覆蓋するカバーを設けるにあたり、該カバーの上面部には、前記スリーブの外周を囲う部位まで至るよう延出形成された延設部と、該延設部から上方に向けて立設する状態でスリーブに外嵌するよう一体形成された円筒部と、上面部上を流れる水がケースとカバーとを固定するための固定部に至るのを回避すべく誘導するため立設されたガイドリブとが設けられ、前記出力軸のスリーブから突出する突出下端部には防水キャップの上端部が軽圧入状に取付けられ、該防水キャップの下部は円筒部の上部に外嵌して防滴状態としたことを特徴とするワイパモータ装置の防滴構造である。
そして、この様にすることにより、出力軸を伝わって水が浸入してきたとしても、該水は、出力軸から延設部を経由してカバー上を流れることになって、ケース内に水が浸入してしまうことを回避でき、もって駆動回路部を水分から有効に保護できる。
【０００５】
【発明の実施の形態】
次に、本発明の実施の形態を図面に基づいて説明する。図面において、１は車両の後部窓ガラス面（リヤウィンドウ）払拭用のワイパモータ装置であって、該ワイパモータ装置１は、図示しない躯体板材（ガラス板やボディ外板）の内部側に配されているが、このものは、電動モータ（図示せず）を備えたモータ部２、減速機構（図示せず）、リンク機構（図示せず）および出力軸（ワイパピボット軸）３を備えたギア部４、回路基板５を備えた駆動回路部６等の各部から構成されている。そして、前記電動モータは、回路基板５に組込まれた回路により駆動制御されると共に、該電動モータの駆動力は、減速機構およびリンク機構を介して出力軸３から出力される構成となっていること等の基本的構成は従来通りである。
【０００６】
一方、７は前記ギア部３を内装するギアフレームであって、該ギアフレーム７に一体形成されるスリーブ８には、前記出力軸３が回動自在に軸支されている。そして、該スリーブ８から突出する出力軸３の先端側は、躯体板材に穿設された取付け孔（図示せず）を貫通して躯体外部（躯体板材の外側）に突出しており、その突出先端部には、図示しないワイパアームの基端部が連結されている。尚、前記出力軸３の取付け孔貫通部にはグロメット（図示せず）が取り付けられていて、該貫通部から躯体内部に水が浸入してしまうことを防止している。
【０００７】
ここで、前記ワイパモータ装置１は、本実施の形態では、図２に示す如く、側面視において、出力軸３の先端側が斜め上方を向き、該出力軸３の基端部の斜め下方に駆動回路部６が位置するように躯体側に取り付けられるが、該ワイパモータ装置１が躯体側に取り付けられていない状態では、説明の便宜上、出力軸３の先端側を上方とし、基端側を下方とする。
【０００８】
一方、前記駆動回路部６は、箱型状のケース１０内に、電動モータに接続される配線（図示せず）や側面にカプラ９が取り付けられた前記回路基板５等が収納されているが、ケース１０の上側は開口しており、該上側開口はカバー１１により覆蓋されている。
【０００９】
前記カバー１１は、板状の上面部１１ａの外周縁部から下方に向けて側面部１１ｂが屈曲形成されたものであるが、さらに、該側面部１１ｂの下端からは複数の舌片１１ｃが下方に向けて突設されており、該舌片１１ｃには係止孔１１ｄが開設されている。一方、前記ケース１０の上部には、カバーの係止孔１１ｄに対応する係止爪１０ａが突設されている。そして、カバー１１をケース１０の上側開口に組付ける際に、上記係止爪１０ａが係止孔１１ｄに係止することでカバー１１のケース１０への固定がなされるように構成されている。
【００１０】
さらに、カバー１１の上面部１１ａには、前記出力軸３を軸支するスリーブ８の外周を囲う部位まで至る延設部１１ｅが延出形成されており、該延設部１１ｅには、スリーブ８に外嵌する円筒部１１ｆが延設部１１ｅから上方に向けて立設する状態で一体形成されている。そして、この円筒部１１ｆの上端からスリーブ８の上部が突出し、さらに前述したように、該スリーブ８の上端から出力軸３が突出するように構成されている。
【００１１】
一方、１２は防水キャップであって、該防水キャップ１２は、下側ほど段階的（本実施の形態では二段階）に大径となった円筒形状をしているが、その上端部は、前記スリーブ８から突出する出力軸３の突出下端部に軽圧入状態で取付けられている。また、防水キャップ１２の下部は、前記カバー１１の円筒部１１ｆの上部に外嵌されていて、防水キャップ１２の下部と円筒部１１ｆの上部とのあいだにラビリンスが形成されている。
【００１２】
さらに、前記カバー１１の上面部１１ａには、ワイパモータ装置１を躯体側に取付けた状態で、上面部１１ａ上を流れる水が、前記係止孔１１ｄ部位に流れないように誘導するためのガイドリブ１１ｇが立設されている。このガイドリブ１１ｇは、本実施の形態では、図１に示す如く、出力軸３に対して係止孔１１ｄの内方にガイドリブ１１ｇが位置するように設定されているが、これに限定されることなく、図４に示す第二の実施の形態の如く、係止孔１１ｄ部位を囲うようにしてガイドリブ１１ｇを立設することもできる。つまり、ガイドリブ１１ｇは、ワイパモータ装置１の取付け姿勢や係止孔１１ｄの位置等に応じて、カバー上面部１１ａ上の水を係止孔１１ｄ側に流れないように誘導するために設けられるものであって、その形状や位置は限定されない。
【００１３】
叙述の如く構成されたものにおいて、ワイパモータ装置１は、出力軸３の下方に駆動回路部６が位置する状態で躯体側に取付けられるが、該駆動回路部６が収納されるケース１０の上側開口を覆蓋するためのカバー１１には、出力軸３を軸支するスリーブ８にまで至る延設部１１ｅが延出形成され、該延設部１１ｅにはスリーブ８に外嵌する円筒部１１ｆが立設される共に、円筒部１１ｆの上部には、出力軸３に圧入取付けされた防水キャップ１２の下部が外嵌されることになる。
この結果、たとえ躯体板材の取付け孔部から出力軸３を伝わって躯体内部に水が浸入してしまったような場合であっても、該浸入した水は、図２に示す如く、防水キャップ１２の外周側から円筒部１１ｆの外周側を伝わって上面部１１ａに至り、そして該上面部１１ａ上を下方に向けて流れることになって、ギアフレーム７とケース１０とのあいだに水が流れてケース１０内に水が浸入してしまうような不具合を回避でき、もってケース１０内の回路基板５を水分から有効に保護できる。
また、カバー１１はケース１０に固定されているため、その円筒部１１ｆも不動となるが、防水キャップ１２は出力軸３に軽圧入されていて、出力軸３と共に回転するようになっている。さらに、円筒部１１ｆと防水キャップ１２との端縁が互いに重なり合うラビリンス状となっていることから、この防水キャップ１２を用いることによって、電動モータの駆動時には何ら影響を与えない形状でありながら、好適に防滴効果を発揮することができる。
【００１４】
さらにこのものにおいて、前記カバー１１の上面部１１ａ上を下方に流れる水は、該上面部１１ａに形成されたガイドリブ１１ｇにより係止孔１１ｄに至らないように誘導される構成となっているため、係止孔１１ｄから水が浸入してしまうことを確実に回避でき、より一層優れた防滴構造のものとすることができる。
【００１５】
尚、本発明は上記実施の形態に限定されないことは勿論であって、防水キャップを別体として設けることなく、図５に示す第三の実施の形態の如く、カバー円筒部１１ｆの上端部を、スリーブ８の上端から突出する出力軸３に防滴状に嵌合する一体構造のものにすることもでき、このものにおいても同様の作用効果を奏する。
【図面の簡単な説明】
【図１】ワイパモータ装置の平面図である。
【図２】取付け状態を示すワイパモータ装置の一部断面側面図である。
【図３】（Ａ）、（Ｂ）、（Ｃ）、（Ｄ）はカバーの平面図、正面図、左側面図、右側面図である。
【図４】第二の実施の形態を示すワイパモータ装置の平面図である。
【図５】第三の実施の形態を示すワイパモータ装置の一部断面側面図である。
【符号の説明】
１    ワイパモータ装置
３    出力軸
６    駆動回路部
１０    ケース
１０ａ  係止爪
１１    カバー
１１ａ  上面部
１１ｄ  係止孔
１１ｅ  延設部
１１ｆ  円筒部
１１ｇ  ガイドリブ
１２    防水キャップ
【図１】
0003836281.tif 000002
【図２】
0003836281.tif 000003
【図３】
0003836281.tif 000004
【図４】
0003836281.tif 000005
【図５】
0003836281.tif 000006